(57)【要約】      （修正有）【課題】ウェル内における液体試料の均一性を高めることができる検査用ディスクの提供。【解決手段】検査用ディスクは、円盤状のウェル形成ディスク本体を備える。ウェル形成ディスク本体は、第１ウェル２１と、第２ウェル２２とを有する。第１ウェル２１は、液体試料が外部から注入されるウェルである。第２ウェル２２は、ウェル形成ディスク本体の径方向において第１ウェル２１よりも外周側に位置し、第１ウェル２１から移動する液体試料を溜めるためのウェルである。第２ウェル２２の開口面２９は、開口面２９の一部が開口面２９に沿って設けられた少なくとも１つの壁３９で塞がれるように、形成されている。あるいは、開口面は、ウェル形成ディスク本体の円周方向における開口面の中心において径方向と直交する直交線に交差するように、形成されている。【選択図】図８
2018119916.tif 000002
【特許請求の範囲】
【請求項１】
円盤状のウェル形成ディスク本体を備え、
前記ウェル形成ディスク本体は、
液体試料が外部から注入される第１ウェルと、
前記ウェル形成ディスク本体の径方向において前記第１ウェルよりも外周側に位置し、前記第１ウェルから移動する前記液体試料を溜めるための第２ウェルとを有し、
前記第２ウェルの開口面は、前記開口面の一部が前記開口面に沿って設けられた少なくとも１つの壁で塞がれていること、及び、前記ウェル形成ディスク本体の円周方向における前記開口面の中心において前記径方向と直交する直交線に前記開口面が交差することの少なくとも一方によって、形成されている
ことを特徴とする検査用ディスク。
【請求項２】
前記開口面に沿って設けられており、前記第１ウェルから前記第２ウェルへ移動する前記液体試料から特定の物質を除去するフィルタを更に備えることを特徴とする請求項１記載の検査用ディスク。
【請求項３】
前記壁は、前記開口面のうち前記直交線に沿った方向における少なくとも片側を塞ぐように設けられていることを特徴とする請求項１又は２記載の検査用ディスク。
【請求項４】
前記片側は、前記円周方向の回転の向き側であることを特徴とする請求項３記載の検査用ディスク。
【請求項５】
前記壁は複数設けられており、
前記複数の壁は、前記開口面のうち前記直交線に沿った方向における両側に設けられている
ことを特徴とする請求項３記載の検査用ディスク。
【請求項６】
前記開口面は、前記円周方向における前記開口面の中心から前記円周方向の回転の向きに離れるにつれて前記中心よりも前記ウェル形成ディスク本体の外周側に位置し、前記中心から前記円周方向の回転とは逆向きに離れるにつれて前記中心よりも前記ウェル形成ディスク本体の内周側に位置することを特徴とする請求項１〜５のいずれか１項に記載の検査用ディスク。
【請求項７】
前記開口面は、前記円周方向における前記開口面の中心から前記円周方向の回転の向きに離れるにつれて前記中心よりも前記ウェル形成ディスク本体の内周側に位置し、前記中心から前記円周方向の回転とは逆向きに離れるにつれて前記中心よりも前記ウェル形成ディスク本体の外周側に位置することを特徴とする請求項１〜５のいずれか１項に記載の検査用ディスク。
【請求項８】
前記開口面は、
前記壁で塞がれている第１領域と、
前記直交線と交差する第２領域とを有する
ことを特徴とする請求項１又は２記載の検査用ディスク。
【請求項９】
前記第１ウェルに設置されるフィルタカートリッジを更に備え、
前記フィルタカートリッジは、前記第１ウェルから前記第２ウェルへ移動する前記液体試料から特定の物質を除去するフィルタを有する
ことを特徴とする請求項１〜８のいずれか１項に記載の検査用ディスク。
【発明の詳細な説明】
【技術分野】
【０００１】
本発明は、検査用ディスクに関し、より詳細には、液体試料を溜めるためのウェルを有する円盤状のウェル形成ディスク本体を備える検査用ディスクに関する。
【背景技術】
【０００２】
特許文献１には、血液等の生体試料に含まれる生体高分子を分析するための試料用分析ディスクについて記載されている。
【０００３】
特許文献１に記載された試料用分析ディスクは、試料分析用ディスクの中心に対して回転対称となるように内周側に設けられた複数の注入孔を有する。各注入孔から注入された試料は、試料分析用ディスクの回転により、流路を伝わり、検出領域に到達する。
【先行技術文献】
【特許文献】
【０００４】
【特許文献１】特開２０１３−６４７２２号公報
【発明の概要】
【発明が解決しようとする課題】
【０００５】
しかしながら、特許文献１に記載された検査用ディスク（試料用分析ディスク）では、各注入孔から注入されて検出領域に到達した液体試料は、検出領域内において、流路と連通する開口面から外周方向に向かって均一には分布しない。検出領域において流路と連通する開口面は均一であるものの、上記液体試料の多くは、検査用ディスクの回転加速などの影響により、検出領域内のうち、検査用ディスクの円周方向における回転の向き側の領域に流れる流路を形成する。その後、上記回転の向き側の領域の液体試料の一部が、上記回転とは逆向き側に広がっていく。その結果、検出領域内において液体試料が検出領域の片方に偏ってしまい、検出領域内において液体試料が不均一に存在するという問題があった。つまり、回転の向き側の領域のほうが回転とは逆向き側よりも、液体試料が多く溜まっている。
【０００６】
本発明は上記の点に鑑みてなされた発明であり、本発明の目的は、ウェル内における液体試料の均一性を高めることができる検査用ディスクを提供することにある。
【課題を解決するための手段】
【０００７】
本発明の第１の態様に係る検査用ディスクは、円盤状のウェル形成ディスク本体を備える。前記ウェル形成ディスク本体は、第１ウェルと、第２ウェルとを有する。前記第１ウェルは、液体試料が外部から注入されるウェルである。前記第２ウェルは、前記ウェル形成ディスク本体の径方向において前記第１ウェルよりも外周側に位置し、前記第１ウェルから移動する前記液体試料を溜めるためのウェルである。前記第２ウェルの開口面は、前記開口面の一部が前記開口面に沿って設けられた少なくとも１つの壁で塞がれていること、及び、前記ウェル形成ディスク本体の円周方向における前記開口面の中心において前記径方向と直交する直交線に前記開口面が交差することの少なくとも一方によって、形成されている。
【０００８】
本発明の第２の態様に係る検査用ディスクは、第１の態様において、フィルタを更に備える。前記フィルタは、前記開口面に沿って設けられており、前記第１ウェルから前記第２ウェルへ移動する前記液体試料から特定の物質を除去する。
【０００９】
本発明の第３の態様に係る検査用ディスクでは、第１又は２の態様において、前記壁は、前記開口面のうち前記直交線に沿った方向における少なくとも片側を塞ぐように設けられている。
【００１０】
本発明の第４の態様に係る検査用ディスクでは、第３の態様において、前記片側は、前記円周方向の回転の向き側である。
【００１１】
本発明の第５の態様に係る検査用ディスクでは、第３の態様において、前記壁は複数設けられている。前記複数の壁は、前記開口面のうち前記直交線に沿った方向における両側に設けられている。
【００１２】
本発明の第６の態様に係る検査用ディスクでは、第１〜５の態様のいずれか１つにおいて、前記開口面は、前記円周方向における前記開口面の中心から前記円周方向の回転の向きに離れるにつれて前記中心よりも前記ウェル形成ディスク本体の外周側に位置する。さらに、前記開口面は、前記中心から前記円周方向の回転とは逆向きに離れるにつれて前記中心よりも前記ウェル形成ディスク本体の内周側に位置する。
【００１３】
本発明の第７の態様に係る検査用ディスクでは、第１〜５の態様のいずれか１つにおいて、前記開口面は、前記円周方向における前記開口面の中心から前記円周方向の回転の向きに離れるにつれて前記中心よりも前記ウェル形成ディスク本体の内周側に位置する。さらに、前記開口面は、前記中心から前記円周方向の回転とは逆向きに離れるにつれて前記中心よりも前記ウェル形成ディスク本体の外周側に位置する。
【００１４】
本発明の第８の態様に係る検査用ディスクでは、第１又は２の態様において、前記開口面は、前記壁で塞がれている第１領域と、前記直交線と交差する第２領域とを有する。
【００１５】
本発明の第９の態様に係る検査用ディスクは、第１〜８の態様のいずれか１つにおいて、フィルタカートリッジを更に備える。前記フィルタカートリッジは、前記第１ウェルに設置される。前記フィルタカートリッジは、フィルタを有する。前記フィルタは、前記第１ウェルから前記第２ウェルへ移動する前記液体試料から特定の物質を除去する。
【発明の効果】
【００１６】
本発明によれば、第１ウェルから移動する液体試料を溜めるための第２ウェル内における液体試料の均一性を高めることができる。
【図面の簡単な説明】
【００１７】
【図１】図１は、本発明の一実施形態に係る検査用ディスクの平面図である。
【図２】図２Ａは、同上の検査用ディスクの斜視図である。図２Ｂは、同上の検査用ディスクの一部破断した斜視図である。図２Ｃは、図２Ｂの要部Ｃの拡大図である。
【図３】図３は、同上の検査用ディスクの分解斜視図である。
【図４】図４は、同上の検査用ディスクにおけるディスク本体の下側から見た斜視図である。
【図５】図５は、同上の検査用ディスクにおけるトラックの拡大平面図である。
【図６】図６は、同上の検査用ディスクにおけるフィルタを構成する多孔質構造体のＳＥＭ像（Scanning Electron Microscope Image）図である。
【図７】図７は、同上の検査用ディスクを利用して液体試料の検査を行う検出装置の構成図である。
【図８】図８Ａは、同上の検査用ディスクにおける要部の下側から見た斜視図である。図８Ｂは、図８ＡのＸ−Ｘ断面図である。
【図９】図９は、図１の要部拡大図である。
【図１０】図１０は、図８Ａの要部拡大図である。
【図１１】図１１は、本発明の一実施形態の変形例１に係る検査用ディスクの要部拡大図である。
【図１２】図１２は、本発明の一実施形態の変形例２に係る検査用ディスクの要部拡大図である。
【図１３】図１３は、本発明の一実施形態の変形例３に係る検査用ディスクの要部拡大図である。
【図１４】図１４は、本発明の一実施形態の変形例４に係る検査用ディスクの要部拡大図である。
【発明を実施するための形態】
【００１８】
以下の実施形態に係る検査用ディスクでは、ウェル形成ディスク本体において、液体試料が外部から注入される第１ウェルと、第１ウェルから移動する液体試料を溜めるための第２ウェルとが形成されている。そして、第２ウェルの開口面は、開口面の一部が少なくとも１つの壁で塞がれていること、及び、ウェル形成ディスク本体の円周方向における開口面の中心において径方向と直交する直交線に開口面が交差することの少なくとも一方によって、形成されている。
【００１９】
以下の実施形態において説明する各図は、模式的な図であり、図中において各構成要素の大きさや厚さそれぞれの比が、必ずしも実際の寸法比を反映しているとは限らない。
【００２０】
（１）検査用ディスクの全体構成
以下では、本実施形態に係る検査用ディスク（液体試料検査用ディスク）１について、図１〜図１０に基づいて説明する。
【００２１】
検査用ディスク１は、円盤状のウェル形成ディスク本体２と、複数のフィルタカートリッジ３とを備える。ウェル形成ディスク本体２は、図２Ａ〜図２Ｃ及び図３に示すように、円盤状のディスク本体４と、ディスク本体４よりも柔軟な円盤状のプレート５とを備える。検査用ディスク１は、軸心回りに回転し、回転に伴って第２ウェル２２（図１参照）に溜められた液体試料を光学的に走査し分析するために用いられる。
【００２２】
ウェル形成ディスク本体２では、ディスク本体４とプレート５とが互いに重なるようにして接合されている。ウェル形成ディスク本体２では、ディスク本体４の中心軸４５（図３参照）とプレート５の中心軸５６（図３参照）とが一直線上に揃っている。要するに、ディスク本体４の中心軸４５とプレート５の中心軸５６とが一直線上に揃った状態で、ディスク本体４とプレート５とが互いに重なるように接合されている。
【００２３】
液体試料は、複数種類の物質を含んでいる。フィルタカートリッジ３のフィルタ３５（図１及び図２Ｂ参照）は、第１チャンバー４０１から第２チャンバー４０２へ移動する液体試料から特定の物質を除去する。
【００２４】
検査用ディスク１は、例えば、液状の生体試料（例えば、人の血液）中の検体（例えば、赤血球）への病原性微生物（例えば、マラリアの原虫）の感染率を検査するために用いられる。マラリアの原虫は、例えば、ハマダラ蚊が人の血を吸ったときに人の体内に侵入し、血液中において赤血球に侵入し、赤血球中に寄生する。ここでいう「感染率」は、｛［病原性微生物の感染している検体の数］／［検体の全数］｝×１００〔％〕である。液体試料は、少なくとも、液状の生体試料を含む。液体試料は、例えば、生体試料が血液である場合、粘性を低下させるために、血液を希釈液により希釈してあることが好ましい。希釈液としては、生体試料に含まれる血液細胞（赤血球、白血球）を変性させない液を用いる。希釈液としては、例えば、緩衝液、等張液、培養液、界面活性剤等を用いることができる。
【００２５】
検査用ディスク１では、病原性微生物の核酸を染色するための蛍光試薬（蛍光色素）が、ウェル形成ディスク本体２の第２ウェル２２に配置されていることが好ましい。蛍光試薬は、例えば、凍結乾燥法、スピンコート法などにより配置されていることが好ましい。これにより、検査用ディスク１では、第２ウェル２２へ移動した液体試料中の検体（赤血球）に寄生している病原性微生物の核酸を蛍光標識することが可能となる。蛍光試薬により染色された核酸は、外部から励起光が照射されたときに蛍光を発する。病原性微生物の核酸を染色するための蛍光試薬は、粉末でもよい。
【００２６】
検査用ディスク１では、フィルタ３５が、特定の第２物質（検体）である赤血球を通し、かつ、特定の第１物質である白血球を捕捉するように構成されている。言い換えれば、フィルタ３５は、赤血球と白血球とを分離し赤血球を抽出する分離部として機能するように構成されている。したがって、検査用ディスク１では、生体試料から赤血球を抽出することが可能となる。
【００２７】
病原性微生物の核酸を染色するための蛍光試薬は、白血球も染色することができる材料である。しかしながら、検査用ディスク１では、第１ウェル２１に入れられた液体試料中の白血球がフィルタ３５に捕捉される。よって、検査用ディスク１では、第１ウェル２１へ入れられた液体試料に含まれている白血球が蛍光試薬により染色されるのを防ぐことが可能となる。
【００２８】
検査用ディスク１において、フィルタカートリッジ３は、液体試料を収納可能な収納空間３１（図１参照）を有することが好ましい。ここで、フィルタカートリッジ３におけるフィルタ３５は、ディスク本体４の径方向において収納空間３１と第２チャンバー４０２との間にあることが好ましい。検査用ディスク１では、フィルタカートリッジ３がディスク本体４の第１チャンバー４０１に入れられるので、フィルタカートリッジ３の収納空間３１にある液体試料を、第１チャンバー４０１内に入れた液体試料とみなすことができる。検査用ディスク１では、フィルタカートリッジ３におけるフィルタ３５が収納空間３１と第２チャンバー４０２との間にあることにより、収納空間３１に入れた液体試料中の赤血球を、フィルタ３５を通して第２ウェル２２へ移動させることが可能となる。収納空間３１に液体試料を入れる作業は、フィルタカートリッジ３がウェル形成ディスク本体２の第１ウェル２１に嵌め込まれた状態で行うことが好ましい。
【００２９】
検査用ディスク１では、フィルタカートリッジ３が第１チャンバー４０１に入れられた状態において、収納空間３１、フィルタ３５及び第２チャンバー４０２が、ディスク本体４の中心側から外周側に向かってこの順に並んでいることが好ましい。要するに、検査用ディスク１では、ウェル形成ディスク本体２の中心側からウェル形成ディスク本体２の径方向の外向きにおいて、収納空間３１、フィルタ３５及び第２ウェル２２が、この順に並んでいることが好ましい。これにより、検査用ディスク１を回転させたときに液体試料に作用する遠心力により、収納空間３１中の液体試料を、フィルタ３５を通して第２ウェル２２へ移動させることが可能となる。第２ウェル２２内において、液体試料には、遠心力の他に、表面張力等も作用する。検査用ディスク１の回転の向きは、検査用ディスク１の上側（検査用ディスク１におけるディスク本体４の第２面４２側）から見て、時計回り（右回り）の向きである。
【００３０】
検査用ディスク１において第１ウェル２１からフィルタ３５を通して第２ウェル２２へ送られた液体試料中の検体は、例えば、図７に示すような検出装置７０によって検査される。
【００３１】
（２）検査用ディスクの各構成要素
検査用ディスク１の各構成要素については、以下に、詳細に説明する。
【００３２】
検査用ディスク１は、図１に示すように、ウェル形成ディスク本体２と、複数（９つ）のフィルタカートリッジ３とを備える。図１では、９つのフィルタカートリッジ３のうち５つのフィルタカートリッジ３のみを図示してある。
【００３３】
（２．１）ウェル形成ディスク本体
ウェル形成ディスク本体２は、図２Ａ〜図２Ｃに示すように、円盤状のディスク本体４と、ディスク本体４の第１面４１側においてディスク本体４に接合された円盤状のプレート５と、接合部６とを備える。ウェル形成ディスク本体２では、円盤状のディスク本体４と、円盤状のプレート５とが、接合部６を介して積層されている。
【００３４】
ウェル形成ディスク本体２の形状は、円盤状である。ウェル形成ディスク本体２の形状は、光ディスク（ＣＤ、ＤＶＤ等）と同様、円盤状であることが好ましい。ウェル形成ディスク本体２の中央には、円形状の孔２８が形成されていることが好ましい。検査用ディスク１の直径は、例えば、１２０ｍｍである。
【００３５】
ディスク本体４は、複数（９つ）のフィルタカートリッジ３に一対一に対応する複数（９つ）のチャンバー４００を有する。チャンバー４００は、ディスク本体４の厚さ方向から見て、ディスク本体４の中心から離れるにつれてディスク本体４の周方向に沿った方向の幅が徐々に大きくなっており、外周側の端において幅が徐々に狭くなっている。
【００３６】
各チャンバー４００は、図２Ａ及び図４に示すように、第１チャンバー４０１と、第２チャンバー４０２とを有する。第１チャンバー４０１は、ディスク本体４の厚さ方向に貫通しており、プレート５側の開口をプレート５により塞がれている。これにより、ウェル形成ディスク本体２では、第１チャンバー４０１は、ディスク本体４の厚さ方向においてプレート５側とは反対側が開放されている。第２チャンバー４０２は、ディスク本体４の第１面４１に形成されており、ディスク本体４の厚さ方向においてプレート５側とは反対側が閉塞されている。また、第２チャンバー４０２は、プレート５側の開口をプレート５により塞がれている。第２チャンバー４０２は、第１チャンバー４０１と連通している（繋がっている）。ここにおいて、ディスク本体４は、第１チャンバー４０１と第２チャンバー４０２との間に、第１チャンバー４０１及び第２チャンバー４０２それぞれに連通する第１チャネル４０３（図２Ｂ及び図４参照）を有することが好ましい。第１チャネル４０３は、ディスク本体４の第１面４１に形成されており、ディスク本体４の厚さ方向においてプレート５側とは反対側が閉塞されている。
【００３７】
ここにおいて、複数のチャンバー４００は、ディスク本体４の周方向に略等間隔で並んでいる。したがって、複数の第１チャンバー４０１は、ディスク本体４の周方向において等間隔で並んでいる。同様に、複数の第１チャネル４０３も、ディスク本体４の周方向において等間隔で並んでいる。複数の第２チャンバー４０２も、ディスク本体４の周方向において等間隔で並んでいる。ウェル形成ディスク本体２には、第１ウェル２１と第２ウェル２２とのセットが９セット形成される。第２ウェル２２は、ウェル本体２４と、第１ウェル２１とウェル本体２４との間にある流路２３とを有する。流路２３は、第１ウェル２１とウェル本体２４とを連通させる。
【００３８】
ディスク本体４の中央には、ウェル形成ディスク本体２の孔２８の一部を構成する円形状の孔４８が形成されている。
【００３９】
ディスク本体４の材質は、例えば、アクリル樹脂であるが、これに限らない。ディスク本体４の材質は、例えば、ポリスチレン、ポリカーボネート等のプレート本体５０の材質と同じ材質でもよい。ただし、プレート本体５０とディスク本体４の材質は必ずしも同じ材質を採用する必要はなく、例えば、プレート本体５０がポリカーボネート、ディスク本体４がポリスチレンという組み合わせでもよい。ディスク本体４は、射出成形によって形成されている。これにより、ディスク本体４には、孔４８、チャンバー４００等が形成されている。
【００４０】
ディスク本体４は、蛍光色素と同様に半導体レーザ７１からの励起光によって励起されて蛍光を発する蛍光材を含有させてあることが好ましい。これにより、検査用ディスク１では、検出装置７０により赤血球の検査を行うときに、画像において赤血球の背景画像を明るくすることが可能となり、赤血球の輪郭を画像認識しやすくなり、検査の精度を向上させることが可能となる。蛍光材から発生する蛍光の波長は、例えば、４８０〜６００ｎｍである。このような蛍光材としては、希土類イオンで付活された蛍光体等を採用することができる。
【００４１】
無機系の蛍光体の例として、ＢＡＭ系の蛍光体（例えば、ＢａＭｇＡｌ10Ｏ17:Ｅｕ2+）、ＳＣＡ系の蛍光体（例えば（Ｓｒ,Ｂａ，Ｃａ）5（ＰＯ4）3Ｃｌ：Ｅｕ2+）、ＳＭＳ系の蛍光体（Ｓｒ3ＭｇＳｉ2Ｏ8:Ｅｕ2+）、ＹＡＧ系の蛍光体（例えばＹ3Ａｌ3Ｏ12）、ＣＡＳＮ系蛍光体（例えばＣａＡｌＳｉＮ3:Ｅｕ）、ＳＳＥ系蛍光体（Ｓｒ3ＳｉＯ5：Ｅｕ）等が挙げられる。上記の蛍光体は必ずしも上記組成と完全一致する必要はなく、添加物が含まれていたり、組成比が異なったりしてもよい。また、上記の蛍光体以外にも、３波長形蛍光ランプ用蛍光体、特殊ランプ用蛍光体、冷陰極ランプ用蛍光体、ＰＤＰ（Plasma Display Panel）用蛍光体、ＬＥＤ（Light Emitting Diode）用蛍光体、蛍光灯用蛍光体、等の広く用いられている蛍光体を使用することができる。また、有機系の蛍光体の例として、赤色発光蛍光体（Ｅｕ錯体化合物、Ｓｍ錯体化合物、Ｐｒ錯体化合物、ジシアノメチレン系化合物、ベンゾピラン誘導体、ローダミン誘導体、ベンゾチオキサンテン誘導体、ポリアルキルチオフェン誘導体）、黄色発光蛍光体（ルブレン系化合物、ペリミドン誘導体）、青色発光蛍光体（ペリレン系化合物、ピレン系化合物、アントラセン系化合物、ジスチリル誘導体、ポリジアルキルフルオレン誘導体、ポリパラフェニレン誘導体）、緑色発光蛍光体（クマリン系化合物、Ｔｂ錯体化合物、キナクリドン化合物）等が挙げられる。
【００４２】
これらの蛍光体は、１種を単独で用いてもよいし、同色系ないしは異なる色調に発光するものの２種以上を併用してもよい。少量配合で良好な蛍光発光特性を示す観点から、有機系の蛍光体としては、赤色発光蛍光体のＥｕ錯体化合物を用いることが好ましい。
【００４３】
ディスク本体４の第１面４１と第２面４２との間の厚さは、例えば、２．０ｍｍである。ここにおいて、ディスク本体４の第２チャンバー４０２の深さは、検体のサイズよりも十分に大きいことが好ましい。第２チャンバー４０２の深さは、例えば、４００μｍである。
【００４４】
ところで、ディスク本体４は、図１に示すように、第１面４１に形成された複数（図示例では９つ）のゲート跡４１１と、第２面４２から突出する複数（図示例では９つ）の突部４２１とを有する。各突部４２１は、ディスク本体４の厚さ方向においてゲート跡４１１に重なる。ディスク本体４では、突部４２１の先端面の全体が、第２面４２における突部４２１以外の部位と比べて表面粗さの大きな粗面部４３１であることが好ましい。なお、ディスク本体４では、９つの粗面部４３１を区別するために、９つの粗面部４３１の近傍に互いに異なる文字Ａ〜Ｉが形成されている。
【００４５】
プレート５は、図２Ａ〜図２Ｃに示すように、ディスク本体４の第１面４１側においてチャンバー４００を覆うようにディスク本体４に接合されている。
【００４６】
また、プレート５の中央には、ウェル形成ディスク本体２の孔２８の一部を構成する円形状の孔５８が形成されている。また、プレート５は、円盤状のプレート本体５０（図２Ｃ参照）を備える。プレート本体５０の材質は、例えば、透明な樹脂である。プレート本体５０は、厚さ方向において互いに反対側にある表面５１及び裏面５２を有する。プレート本体５０の表面５１には、光ディスクと同様に、プレート本体５０の裏面５２を通して入射したビーム状の光を追従させるための螺旋状のトラック５３（図５参照）が形成されていることが好ましい。トラック５３は、溝である。トラック５３は、プレート本体５０の中央部から外周部まで螺旋状に形成されている。トラック５３にはアドレス情報が連続的に記録されている。これにより、プレート本体５０では、アドレス情報によって位置が特定できるようになっている。したがって、例えば、検査用ディスク１の面内における第２ウェル２２の位置情報は、アドレス情報により特定される。検査用ディスク１は、光ディスクと同様、トラック５３が光により走査されることにより、アドレス情報が再生される。光は、励起光である。励起光の波長は、例えば、４００ｎｍ〜４１０ｎｍであることが好ましく、４０５ｎｍであることがより好ましい。トラック５３の深さは、例えば、５０ｎｍである。
【００４７】
プレート５の厚さは、例えば、０．６ｍｍである。検査用ディスク１は、プレート５におけるプレート本体５０の裏面５２側から検査用の光（励起光）を入射させることを想定している。このため、検査用ディスク１では、プレート５の厚さがディスク本体４の厚さよりも薄いことが好ましい。プレート５の厚さは、励起光のビームスポットのコマ収差を低減する観点から、励起光の波長が短いほど薄いことが好ましい。
【００４８】
プレート本体５０の材質は、透明な樹脂であることが好ましい。プレート本体５０は、射出成形によって形成されている。これにより、プレート本体５０には、孔５８、トラック５３（図５参照）が形成されている。プレート本体５０の材質は、例えば、ポリカーボネートであるが、これに限らない。プレート本体５０の材質は、例えば、ポリメチルメタクリレート、非晶質ポリオレフィン、ポリエチレン、エチレン、ポリプロピレン、ポリイソブチレン、ポリエチレンテレフタレート（ＰＥＴ）、不飽和ポリエステル、フッ素樹脂、ポリ塩化ビニル、ポリ塩化ビニリデン、ポリ酢酸ビニル、ポリビニルアルコール、ポリビニルアセタール、アクリル樹脂、ポリアクリロニトリル、ポリスチレン、アセタール樹脂、ポリアミド、フェノール樹脂、ユリア樹脂、エポキシ樹脂、メラミン樹脂、スチレン・アクリロニトリル共重合体、アクリロニトリル・ブタジエンスチレン共重合体、シリコーン樹脂、ポリフェニレンオキサイド及びポリスルホン等でもよい。
【００４９】
プレート５は、プレート本体５０の表面５１上に形成された誘電体膜５４（図２Ｃ参照）を更に備える。誘電体膜５４は、例えば、ＺｎＳ−ＳｉＯ2膜である。誘電体膜５４は、トラック５３を覆うように形成されている。誘電体膜５４は、トラッキングのために励起光の一部を反射し、残りのほとんどを透過させるように構成されている。励起光に対する誘電体膜５４の反射率は、例えば、５％以上２０％以下である。上述の蛍光に対する誘電体膜５４の反射率は、例えば、上述の励起光に対する誘電体膜５４の反射率以下であることが好ましい。検査用ディスク１では、プレート本体５０の裏面５２に入射した励起光を反射する反射面５５（図２Ｃ参照）が、誘電体膜５４とプレート本体５０との界面により構成されている。
【００５０】
プレート５とディスク本体４とは、例えば、接着剤からなる接合部６により接合されている。接着剤は、例えば、アクリレート系の接着剤である。
【００５１】
プレート５は、ディスク本体４の第１面４１側でディスク本体４に接合されている。これにより、プレート５とディスク本体４との間に介在させる接合部６の厚さを薄くすることが可能となる。また、検査用ディスク１では、ウェル形成ディスク本体２の外周部において、接合部６にボイド等が発生するのを抑制することが可能となる。これにより、検査用ディスク１は、検査用ディスク１の外周部におけるプレート５とディスク本体４との接合性を向上させることが可能となる。
【００５２】
ところで、ウェル形成ディスク本体２では、ディスク本体４における第１チャンバー４０１の内壁面とプレート５とで囲まれた空間が、液体試料を溜める第１ウェル２１（図１及び図２Ｂ参照）を構成している。また、ウェル形成ディスク本体２では、ディスク本体４における第２チャンバー４０２の内壁面とプレート５とで囲まれた空間が、第１ウェル２１から移動させた液体試料を溜める第２ウェル２２（図１及び図２Ｂ参照）を構成している。また、ウェル形成ディスク本体２では、ディスク本体４における第１チャネル４０３の内壁面とプレート５とで囲まれた空間が、第１チャンバー４０１と第２チャンバー４０２との間で液体試料を通す流路２３（図１及び図２Ｂ参照）を構成している。
【００５３】
ウェル形成ディスク本体２には、ウェル形成ディスク本体２の中心側から外周側に向かって、第１ウェル２１及び第２ウェル２２がこの順で設けられている。つまり、第１ウェル２１、流路２３及びウェル本体２４がこの順で設けられている。検査用ディスク１では、フィルタカートリッジ３を第１ウェル２１にウェル形成ディスク本体２の厚さ方向から嵌め込むことができるので、フィルタカートリッジ３をウェル形成ディスク本体２の径方向から嵌め込む場合に比べて、比較的容易に嵌め込むことが可能となる。
【００５４】
検査用ディスク１では、複数のチャンバー４００が、ウェル形成ディスク本体２の中心軸２５を中心に等角度間隔で放射状に配列されている。これにより、検査用ディスク１は、複数の液体試料の検査に利用することができる。また、検査用ディスク１を利用した赤血球の検査方法では、複数のフィルタカートリッジ３の収納空間３１のそれぞれに液体試料を入れ、かつ、複数のフィルタカートリッジ３をウェル形成ディスク本体２において一対一で対応する第１ウェル２１に嵌め込んだ状態で、検査用ディスク１を、ウェル形成ディスク本体２の中心軸２５を中心として回転させる。これにより、検査方法では、複数の液体試料のそれぞれから赤血球を互いに異なる第２ウェル２２へ抽出することが可能となり、検査時間の短縮化を図ることが可能となる。
【００５５】
第１ウェル２１は、ディスク本体４に形成された第１チャンバー４０１の内壁面とプレート５と接合部６とで囲まれた空間である。第１チャンバー４０１は、ディスク本体４の径方向において、ディスク本体４の孔４８付近に設けられている。第１チャンバー４０１及び第１ウェル２１の形状は、ウェル形成ディスク本体２の厚さ方向から見てフィルタカートリッジ３と略同じである。これにより、検査用ディスク１では、第１ウェル２１に嵌め込まれたフィルタカートリッジ３のがたつきを抑制することが可能となる。
【００５６】
ウェル形成ディスク本体２では、第１ウェル２１と第２ウェル２２のウェル本体２４とがウェル形成ディスク本体２の径方向において離れており、第１ウェル２１とウェル本体２４とが流路２３を通して連通していることが好ましい。
【００５７】
流路２３の開口面積は、第１ウェル２１から離れてウェル本体２４に近づくにつれて徐々に小さくなっていることが好ましい。これにより、検査用ディスク１では、第１ウェル２１からウェル本体２４へ移動した液体試料中に気泡が発生するのを抑制することが可能となる。
【００５８】
ディスク本体４におけるチャンバー４００は、ディスク本体４の周方向において第１チャネル４０３の両側に１つずつ形成された２つの第２チャネル４０５（図９参照）を有する。第２チャネル４０５の深さは、第２チャンバー４０２の深さと略同じである。第２チャネル４０５は、検査用ディスク１における通気流路１１（図１及び図９参照）に連通している。通気流路１１は、ディスク本体４の第１チャンバー４０１の内壁面においてディスク本体４の厚さ方向の全長にわたって設けられた溝４０４とフィルタカートリッジ３の側面との間に形成されている。検査用ディスク１では、フィルタカートリッジ３におけるディスク本体４の周方向に沿った方向の両側それぞれに通気流路１１が形成されている。これにより、検査用ディスク１では、第１ウェル２１から第２ウェル２２へ液体試料を移動させたときに第２ウェル２２内に気泡が発生するのを抑制することが可能となる。よって、検査用ディスク１では、検出装置７０により光を照射したときにノイズの原因となる気泡の発生を抑制できるので、検出装置７０による検査の精度を向上させることが可能となる。検査用ディスク１は、第１チャンバー４０１の内壁面において第１面４１と第２面４２との間の部位からフィルタカートリッジ３に向かって突出したリブ４７（図９参照）を一体に備えている。ここにおいて、ディスク本体４では、リブ４７におけるプレート５との対向面と第２チャネル４０５の底面とが連続して略面一となっている。これにより、検査用ディスク１では、第１ウェル２１から第２ウェル２２へ移動する液体試料が通気流路１１を通して検査用ディスク１の外へ飛散するのを防止することが可能となる。第２チャネル４０５の底面は、第２チャンバー４０２の底面と連続して略面一となっている。
【００５９】
ディスク本体４の厚さ方向から見て第２チャンバー４０２の面積が第１チャンバー４０１の面積よりも大きいことが好ましい。これにより、検査用ディスク１では、第１ウェル２１から第２ウェル２２へ液体試料を移動させたときに、液体試料を第２ウェル２２内において第１ウェル２１よりも広い範囲に広げることが可能となる。よって、検査用ディスク１は、検査用ディスク１の厚さ方向において赤血球が重なるのを抑制することが可能となり、検出装置７０による検査の精度を向上させることが可能となる。
【００６０】
検査用ディスク１では、第２ウェル２２の内壁面に適宜の表面処理が施されていることが好ましい。ここにおいて、表面処理としては、例えば、プレート５における第２チャンバー４０２の底面との対向面に、赤血球の電荷と逆極性の電荷を持たせるプラズマ処理等である。これにより、検査用ディスク１では、第２ウェル２２へ移動した赤血球がプレート５の厚さ方向において重なるのを抑制することが可能となり、プレート５上のより広い範囲に赤血球を単層化することが可能となる。言い換えれば、プレート５上における赤血球の被覆率を高め、かつプレート５の厚さ方向に赤血球が重なるのを抑制することが可能となる。
【００６１】
（２．２）フィルタカートリッジ
フィルタカートリッジ３は、第１チャンバー４０１から第２チャンバー４０２へ移動する液体試料から特定の物質を除去するフィルタ３５（図１及び図２Ｂ参照）を有する。ここで、「特定の物質を除去する」とは、特定の物質を捕捉することを意味する。
【００６２】
フィルタ３５は、液体試料から特定の第１物質を捕捉し特定の第２物質を通す多孔質構造体３６（図６参照）を含む。多孔質構造体３６は、例えば、特定の第１物質（白血球）を通過させず特定の第２物質（赤血球）を通過させるように構成されている。多孔質構造体３６は、例えば、図６に示すＳＥＭ像図のように、複数の繊維状物質３６１により形成されている。より詳細には、多孔質構造体３６は、複数の繊維状物質３６１が互いに絡み合って形成されており、多数の空隙３６２が形成されている。空隙３６２は、隣り合う繊維状物質３６１間にある。多孔質構造体３６は、複数の繊維状物質３６１がそれぞれ湾曲して絡み合っている。繊維状物質３６１は、例えば、酸化シリコンである。より詳細には、繊維状物質３６１は、アモルファス状の二酸化シリコンである。繊維状物質３６１の太さ（繊維径）は、例えば、０．０１μｍ〜１μｍ程度である。繊維状物質３６１は、枝分かれしていてもよい。空隙３６２は、例えば、多孔質構造体３６において、赤血球を通し、かつ、白血球を捕捉できるような大きさである。ここで、空隙３６２は、赤血球よりも大きいことが好ましいが、必ずしも赤血球よりも大きい必要はない。これは、赤血球が、変形能を有し、自身よりも小さな空隙３６２を通ることが可能であるからである。また、空隙３６２は、白血球等の捕捉対象物よりも小さい。これは、白血球は、赤血球よりも変形能が小さいからである。
【００６３】
フィルタカートリッジ３は、ディスク本体４の第１チャンバー４０１に入れられる。ここにおいて、検査用ディスク１では、フィルタカートリッジ３は、ウェル形成ディスク本体２の第１ウェル２１に嵌め込まれる。
【００６４】
フィルタカートリッジ３は、フィルタ３５を保持するケース３０を備えている。ケース３０は、ウェル形成ディスク本体２の厚さ方向から見て第１ウェル２１と略同じ形状である。ケース３０は、ウェル形成ディスク本体２の厚さ方向から見て、ウェル形成ディスク本体２の径方向においてウェル形成ディスク本体２の中心から離れるにつれて幅が徐々に広くなる形状である。ケース３０は、第２チャンバー４０２側の一面に開口部３２０（図９参照）を有する。フィルタカートリッジ３では、フィルタ３５がケース３０の開口部３２０を塞ぐように配置されている。
【００６５】
フィルタ３５は、多孔質構造体３６と、多孔質構造体３６を保持する保持体とを備える。フィルタ３５は、ケース３０に対して、例えば、嵌め込みにより固定されている。フィルタカートリッジ３では、ケース３０とフィルタ３５とで囲まれた空間が液体試料の収納空間３１（図１参照）を構成している。フィルタ３５は、第２ウェル２２の開口面２９に沿って設けられている。
【００６６】
多孔質構造体３６を保持する保持体には、複数の貫通孔が形成されている。各貫通孔は、フィルタ３５の法線方向に沿って形成されている。各貫通孔は、フィルタ３５を通る特定の物質（例えば、赤血球）を通す大きさに形成されている。各貫通孔の開口形状は、例えば、円形状、楕円形状又は矩形状である。
【００６７】
フィルタカートリッジ３は、図３に示すように、液体試料を収納空間３１に注入するための注入孔３３を有する。これにより、フィルタカートリッジ３の収納空間３１に液体試料が入っておらず、かつ、フィルタカートリッジ３をウェル形成ディスク本体２の第１ウェル２１に嵌め込んでいないときに、フィルタ３５のフィルタ性能の検査の一種としてリーク試験を行うことが可能となる。リーク試験では、例えば、フィルタ３５の圧力損失を測定する。フィルタ３５の圧力損失は、例えば、試験用清浄空気をフィルタ３５に流通させたときの上流側と下流側との全圧差をマノメータによって測定することよって得られる。より詳細には、注入孔３３から所定圧力の試験用清浄空気をケース３０内へ導入したときのフィルタ３５での圧力損失を測定する。これにより、検査用ディスク１では、フィルタカートリッジ３をウェル形成ディスク本体２の第１ウェル２１に嵌め込む前に、フィルタ３５のフィルタ性能を検査することができる。注入孔３３は、ケース３０の上壁において開口部３２０から遠い位置にあることが好ましい。
【００６８】
また、フィルタカートリッジ３の収納空間３１の形状は、検査用ディスク１の厚さ方向から見て、図１に示すように、Ｕ字形状である。フィルタカートリッジ３では、ケース３０においてＵ字形状の収納空間３１の第１端に連通するように注入孔３３が設けられており、第２端に連通するように通気孔３８が設けられている。これにより、フィルタカートリッジ３の収納空間３１に液体試料を注入する際に、収納空間３１内部に存在していた空気をフィルタ３５以外の部分からも逃がすことが可能となるために、スムーズに液体試料を注入することができる。通気孔３８の形状は、例えば、円形である。通気孔３８は、液体試料の漏れを防ぐ観点から、できるだけ小さいほうが好ましく、注入孔３３よりも小さいほうが好ましい。
【００６９】
フィルタカートリッジ３の製造時には、多孔質構造体３６を含むフィルタ３５をケース３０に固定する前に、多孔質構造体３６の厚さをレーザ変位計等によって測定することができる。フィルタカートリッジ３では、その製造時に、フィルタ性能を決める要因の一つである多孔質構造体３６の厚さをレーザ変位計等により検査することができる。
【００７０】
ところで、検査用ディスク１は、上述したように、円盤状のウェル形成ディスク本体２を備える。ウェル形成ディスク本体２は、第１ウェル２１と、第２ウェル２２とを有する。第１ウェル２１は、液体試料が外部から注入されるウェルである。第２ウェル２２は、ウェル形成ディスク本体２の径方向において第１ウェル２１よりも外周側に位置し、第１ウェル２１から移動する液体試料を溜めるためのウェルである。検査用ディスク１が回転すると、遠心力により、液体試料が第１ウェル２１から第２ウェル２２へ移動する。
【００７１】
図８Ａ及び図８Ｂに示すように、第２ウェル２２は、第１ウェル２１よりも、ウェル形成ディスク本体２の厚さ方向の高さが低い。さらに、第２ウェル２２は、液体試料が溜められるウェル本体２４と、第１ウェル２１とウェル本体２４とを連通させる流路２３とを有する。流路２３は、第１ウェル２１からウェル本体２４に近づくにつれてウェル形成ディスク本体２の厚さ方向の高さが低くなる。また、第１ウェル２１は、ウェル形成ディスク本体２の厚さ方向の一面が開口している。一方、第２ウェル２２は、上記厚さ方向の両面が塞がれている。
【００７２】
本実施形態に係る検査用ディスク１では、図８Ａ、図８Ｂ、図９及び図１０に示すように、第２ウェル２２の開口面２９の一部が１つの壁３９で塞がれている。本実施形態の壁３９は、フィルタカートリッジ３のケース３０の一部である。開口面２９は、第２ウェル２２が第１ウェル２１と連通するために開口している面である。なお、図１０の矢印は、検査用ディスク１の回転の向きを示している。
【００７３】
また、上述したように、検査用ディスク１は、フィルタ３５を備える。より詳細には、検査用ディスク１を構成するフィルタカートリッジ３がフィルタ３５を有する。フィルタ３５は、第２ウェル２２の開口面２９に沿って設けられており、第１ウェル２１から第２ウェル２２へ移動する液体試料から特定の物質を除去する。
【００７４】
本実施形態に係る検査用ディスク１では、壁３９は、開口面２９のうち直交線Ｌ１に沿った方向における少なくとも片側を覆うように設けられている。より詳細には、壁３９は、ウェル形成ディスク本体２の円周方向の回転の向き側に設けられている。つまり、壁３９は、開口面２９のうち回転の向きを示す矢印の先端側（図１０の下側）に設けられている。
【００７５】
また、壁３９は、直交線Ｌ１に沿って設けられている。直交線Ｌ１とは、ウェル形成ディスク本体２の中心から開口面２９の円周方向における中心２９３を通る線分に直交する軸である。
【００７６】
このような壁３９が第２ウェル２２の開口面２９に沿って設けられていると、フィルタカートリッジ３に収容されている液体試料すなわち第１ウェル２１にある液体試料は、検査用ディスク１が回転した場合に、液体試料が壁３９に衝突する。つまり、液体試料は、遠心力によって、検査用ディスク１の円周方向の回転の向き側において液体試料が壁３９に衝突する。そして、円周方向の回転の向き側の液体試料は、第１ウェル２１内において円周方向の回転とは逆向き側に流れ、フィルタ３５を通して第１ウェル２１から第２ウェル２２へ移動する。
【００７７】
（３）検出装置
図７に示す検出装置７０は、上述したように、検査用ディスク１において第１ウェル２１（図１参照）からフィルタ３５（図１参照）を通して第２ウェル２２（図１参照）へ送られた液体試料中の検体を検査する。検出装置７０は、例えば、光ディスク用の光ピックアップ装置と同様の光学系を備える。検出装置７０の光学系の動作も、光ディスク用の光ピックアップ装置の動作と同様である。検出装置７０の光学系は、半導体レーザ７１と、偏光ビームスプリッタ７２と、対物レンズ７３と、ダイクロイックプリズム７４と、蛍光検出器７５と、アナモフィックレンズ７６と、反射励起光検出器７７とを備える。検出装置７０の光学系は、検査用ディスク１の回転に伴って第２ウェル２２に溜められた液体試料を光学的に走査する。
【００７８】
検出装置７０は、上述の光学系の他、ホルダ８１と、アクチュエータ８２と、回転装置８３と、第１の信号演算回路８４と、サーボ回路８５と、第２の信号演算回路８６と、画像解析装置８７と、画像表示装置８８とを備える。回転装置８３は、モータであり、検査用ディスク１を回転させる。回転装置８３は、サーボ回路８５によって制御される。
【００７９】
検出装置７０では、回転装置８３により回転するテーブルに検査用ディスク１がセットされた後に、所定動作が開始される。
【００８０】
光学系、ホルダ８１及びアクチュエータ８２は、ＣＤやＤＶＤの記録／再生に用いる既存の光ピックアップ装置と同様、ハウジングに設置されている。また、このハウジングは、所定のガイド機構によって、検査用ディスク１の径方向に移動可能となっている。サーボ回路８５は、ハウジングの移動の制御も行う。この制御は、既存のＣＤプレーヤやＤＶＤプレーヤにおける制御と同様のアクセス制御なので、その詳細な説明は省略する。
【００８１】
半導体レーザ７１は、波長４０５ｎｍ程度の光（励起光）を出射する。図７には、光の進行経路を一点鎖線で示している。半導体レーザ７１から出射された励起光は、偏光ビームスプリッタ７２によって反射され、対物レンズ７３に入射する。
【００８２】
対物レンズ７３は、所定の開口数（Numerical Aperture）を有し、励起光を検査用ディスク１に対して適正に収束させるように構成されている。具体的には、対物レンズ７３は、偏光ビームスプリッタ７２側から入射する励起光が収束するように構成されている。
【００８３】
対物レンズ７３は、ホルダ８１に保持された状態で、アクチュエータ８２により、フォーカス方向（検査用ディスク１の厚さ方向）とトラッキング方向（検査用ディスク１の径方向）に駆動される。すなわち、対物レンズ７３は、励起光が検査用ディスク１の反射面５５（図２Ｃ参照）に合焦された状態でトラック５３（図５参照）を追従するように駆動される。反射面５５に合焦された励起光は、一部が反射面５５によって反射され、大部分が反射面５５を透過する。
【００８４】
対物レンズ７３によって収束された励起光が赤血球において蛍光標識された核酸に照射されると、蛍光が発生する。蛍光の波長は、励起光の波長と異なる。蛍光の波長は、例えば、４４０ｎｍ〜４９０ｎｍであることが好ましく、４５５ｎｍであることがより好ましい。蛍光色素としては、例えば、ＳＹＴＯ（登録商標）Ｂｌｕｅ等を用いることができる。マラリアの原虫が感染していない赤血球は、蛍光標識されていないので、励起光を照射されても蛍光を発生しない。したがって、検出装置７０では、マラリアの原虫が感染している赤血球と感染していない赤血球とを蛍光の有無で区別することができる。
【００８５】
ダイクロイックプリズム７４は、波長４０５ｎｍ程度の光を反射し、波長４４０〜６００ｎｍ程度の光を透過するよう構成されている。
【００８６】
反射面５５によって反射された励起光（以下、「反射励起光」という）は、偏光ビームスプリッタ７２を透過し、ダイクロイックプリズム７４によって反射され、アナモフィックレンズ７６に入射する。
【００８７】
アナモフィックレンズ７６は、偏光ビームスプリッタ７２側から入射する反射励起光に非点収差を導入する。アナモフィックレンズ７６を透過した反射励起光は、反射励起光検出器７７に入射する。反射励起光検出器７７は、受光面上に反射励起光を受光するための４分割センサを有している。反射励起光検出器７７の検出信号は、第２の信号演算回路８６に入力される。
【００８８】
第２の信号演算回路８６は、反射励起光検出器７７の検出信号から、フォーカスエラー信号及びトラッキングエラー信号を生成し、かつ、ウォブル信号（Wobble Signal）を生成する。フォーカスエラー信号は、対物レンズ７３の焦点位置と検査用ディスク１とのずれ（焦点誤差）を示す信号である。トラッキングエラー信号は、励起光のスポットとトラック５３とのずれ（トラッキング誤差）を示す信号である。ウォブル信号は、トラック５３により規定されるグルーブの蛇行形状に応じた波形信号である。フォーカスエラー信号及びトラッキングエラー信号は、非点収差法と１ビームプッシュプル法に従って生成される。ウォブル信号は、トラッキングエラー信号に基づいて生成される。具体的には、トラッキングエラー信号から、ウォブル信号に応じた周波数成分を抽出することにより、ウォブル信号が生成される。サーボ回路８５は、第２の信号演算回路８６から出力されたフォーカスエラー信号及びトラッキングエラー信号を用いて、アクチュエータ８２を制御する。また、サーボ回路８５は、第２の信号演算回路８６から出力されたウォブル信号を用いて、所定の線速度で検査用ディスク１が回転されるように回転装置８３を制御する。
【００８９】
また、第２の信号演算回路８６は、ウォブル信号を復調して生成した再生データ（アドレス情報）を画像解析装置８７に出力する。
【００９０】
対物レンズ７３側からダイクロイックプリズム７４に入射する蛍光は、ダイクロイックプリズム７４を透過し、蛍光検出器７５に入射する。蛍光検出器７５は、受光した蛍光を電気信号からなる検出信号に変換して出力するセンサを有している。蛍光検出器７５の検出信号は、第１の信号演算回路８４に入力される。
【００９１】
第１の信号演算回路８４は、蛍光検出器７５からの検出信号を増幅して生成した蛍光輝度情報を画像解析装置８７に出力する。
【００９２】
画像解析装置８７は、第１の信号演算回路８４から出力される蛍光輝度情報と、第２の信号演算回路８６から出力されるアドレス情報とに基づいて第２チャンバー４０２内の液体試料の画像を生成して画像表示装置８８に表示させる。さらに、画像解析装置８７は、当該画像における赤血球及び赤血球に感染しているマラリア原虫の核酸を検出して、感染率を演算し、その演算結果を画像表示装置８８に表示させる。画像解析装置８７は、例えば、パーソナルコンピュータに適宜のプログラムを実行させることにより実現できる。また、画像表示装置８８は、例えば、パーソナルコンピュータのディスプレイにより構成できる。
【００９３】
（４）検査方法
検査用ディスク１及び検出装置７０を用いて赤血球の検査を行う例の手順について、簡単に説明する。
【００９４】
患者から採血された血液（生体試料）を準備してから、血液と希釈液とを混合することで液体試料を調製する。
【００９５】
その後、フィルタカートリッジ３の収納空間３１に液体試料を入れる。収納空間３１に生体試料を入れるときには、例えば、ピペット（Pipette）、シリンジ（Syringe）、毛細管（Capillary）等を用いる。ここでは、フィルタカートリッジ３をウェル形成ディスク本体２の第１ウェル２１に嵌め込んだ状態において液体試料を収納空間３１に入れることが好ましい。
【００９６】
その後、検出装置７０において、検査用ディスク１を所定の線速度で所定の回転時間だけ回転させる。検出装置７０は、ウェル形成ディスク本体２の中心軸２５を中心として検査用ディスク１を回転させる。このとき、液体試料中の白血球は、フィルタカートリッジ３のフィルタ３５に捕捉され、第２ウェル２２へは到達しない。よって、検査用ディスク１では、液体試料に含まれている赤血球を第１ウェル２１から第２ウェル２２へ移動させることができ、かつ、液体試料に含まれている白血球をフィルタ３５で捕捉することができる。
【００９７】
その後、検出装置７０において、第２ウェル２２内の液体試料（ここで、第２ウェル２２内に移動した液体試料は液相状態から固相状態に変化していてもよい）の画像を生成して、画像表示装置８８に表示させ、更に感染率を画像表示装置８８に表示させる。これにより、医師等が顕微鏡を利用して検査を行う場合と比べて、検査時間を短縮することが可能となる。第２ウェル２２内に移動した液体試料は、検出装置７０において検査を行う場合に、液相状態でもよいし、液相状態から固相状態に変化していてもよいが、液体試料の励起光に対する屈折率は、円盤状のディスク本体４、円盤状のプレート５、及び、ディスク本体４とプレート５とを接合している接合部６それぞれの材料の励起光に対する屈折率に近いほうが好ましく、１．３〜１．６程度である。
【００９８】
検査用ディスク１は、フィルタカートリッジ３を備えており、フィルタカートリッジ３単体でフィルタ性能の検査を行うことができる。ここにおいて、「フィルタ性能」とは、フィルタ３５の性能であり、赤血球を透過し白血球を捕捉する性能である。検査用ディスク１では、フィルタカートリッジ３単体でフィルタ性能の検査を行うことができることにより、フィルタ性能の信頼性の向上を図ることが可能となる。これにより、例えば、検査用ディスク１及び検出装置７０を用いた感染率の検査の精度を向上させることが可能となる。
【００９９】
以上説明した検査用ディスク１及び検出装置７０を用いた検査方法では、赤血球へのマラリアの原虫の感染の有無を確認することにより、自覚症状のない潜伏期間においてマラリアの原虫の感染の有無を精度よく検査することが可能となる。
【０１００】
（５）変形例
本実施形態の変形例１として、検査用ディスク１は、図１１に示すような構造を有してもよい。なお、図１１の矢印は、検査用ディスク１の回転の向きを示している。
【０１０１】
変形例１に係る検査用ディスク１では、第２ウェル２２の開口面２９ａの一部が、壁３９（図１０参照）ではなく、複数（図示例では２つ）の壁３９ａ、３９ｂで塞がれている。変形例１の複数の壁３９ａ、３９ｂは、フィルタカートリッジ３のケース３０の一部であり、開口面２９ａのうち直交線Ｌ１に沿った方向における両側に設けられている。壁３９ａ、３９ｂは、壁３９と同様に、直交線Ｌ１に沿って設けられている。
【０１０２】
また、変形例１においても、フィルタカートリッジ３の保持体に形成された複数の貫通孔は、本実施形態と同様に、フィルタ３５の法線方向に沿って形成されている。
【０１０３】
このような複数の壁３９ａ、３９ｂが第２ウェル２２の開口面２９ａに沿って設けられていると、フィルタカートリッジ３に収容されている液体試料すなわち第１ウェル２１にある液体試料は、検査用ディスク１が回転した場合に、円周方向の回転の向き側において液体試料が壁３９ａに衝突し、円周方向の回転とは逆向き側の液体試料が壁３９ｂに衝突する。そして、回転の向き側及び回転とは逆向き側の液体試料は、第１ウェル２１内において中央に流れ、フィルタ３５を通して第１ウェル２１から第２ウェル２２へ移動する。これにより、第１ウェル２１から第２ウェル２２へ移動する液体試料の流路を変更することができる。その結果、変形例１の検査用ディスク１においても、第２ウェル２２内における液体試料の均一性を高めることができる。
【０１０４】
本実施形態の変形例２として、検査用ディスク１は、図１２に示すような構造を有してもよい。なお、図１２の矢印は、検査用ディスク１の回転の向きを示している。
【０１０５】
変形例２に係る検査用ディスク１では、検査用ディスク１を上方から見たときに、第２ウェル２２の開口面２９ｂは、検査用ディスク１の半径と直交する直交線Ｌ１に対して傾斜している。なお、変形例２に係る検査用ディスク１には、壁３９（図１０参照）は設けられていない。
【０１０６】
開口面２９ｂは、ウェル形成ディスク本体２の円周方向における開口面２９ｂの中心２９３から上記円周方向の回転の向きに離れるにつれて中心２９３よりもウェル形成ディスク本体２の外周側に位置する。さらに、開口面２９ｂは、中心２９３から上記円周方向の回転とは逆向きに離れるにつれて中心２９３よりもウェル形成ディスク本体２の内周側に位置する。言い換えると、第２ウェル２２の開口面２９ｂは、図１２に示す矢印の基端側から先端側になるほど、ウェル形成ディスク本体２の中心からの距離が長くなるように形成されている。開口面２９ｂと直交線Ｌ１とでなす角θ１は５°以上８０°以下であることが好ましい。
【０１０７】
このように開口面２９ｂが傾斜して形成されていると、開口面２９ｂにおいて、回転とは逆向き側よりも回転の向き側のほうが、液体試料が開口面２９ｂに到達するまでの距離が長くなる。このため、回転とは逆向き側よりも回転の向き側のほうが、液体試料が第１ウェル２１から第２ウェル２２へ流れにくくなる。また、検査用ディスク１が回転した場合に、開口面２９ｂに直交する方向が、遠心力と回転加速による慣性力との合成力のベクトル方向に近くなる。このため、回転とは逆向き側においても液体試料が第１ウェル２１から第２ウェル２２へ流れやすくなる。その結果、変形例２の検査用ディスク１においても、第２ウェル２２内における液体試料の均一性を高めることができる。
【０１０８】
本実施形態の変形例３として、検査用ディスク１は、図１３に示すような構造を有してもよい。なお、図１３の矢印は、検査用ディスク１の回転の向きを示している。
【０１０９】
変形例３に係る検査用ディスク１では、検査用ディスク１を上方から見たときに、第２ウェル２２の開口面２９ｃは、検査用ディスク１の半径と直交する直交線Ｌ１に対して、変形例２の開口面２９ｂ（図１２参照）とは逆向きに傾斜している。なお、変形例３においても、変形例２と同様に、検査用ディスク１には、壁３９（図１０参照）は設けられていない。
【０１１０】
開口面２９ｃは、ウェル形成ディスク本体２の円周方向における開口面２９ｃの中心２９３から上記円周方向の回転の向きに離れるにつれて中心２９３よりもウェル形成ディスク本体２の内周側に位置する。さらに、開口面２９ｃは、中心２９３から上記円周方向の回転とは逆向きに離れるにつれて中心２９３よりもウェル形成ディスク本体２の外周側に位置する。言い換えると、第２ウェル２２の開口面２９ｃは、図１３に示す矢印の基端側から先端側になるほど、ウェル形成ディスク本体２の中心からの距離が短くなるように形成されている。開口面２９ｃと直交線Ｌ１とでなす角θ１は５°以上８０°以下であることが好ましい。
【０１１１】
また、変形例３においても、フィルタカートリッジ３の保持体に形成された複数の貫通孔は、本実施形態と同様に、フィルタ３５の法線方向に沿って形成されている。
【０１１２】
このように開口面２９ｃが傾斜して形成されていると、検査用ディスク１が回転した場合に、開口面２９ｃに直交する方向が、検査用ディスク１の回転による遠心力と回転加速度による慣性力との合成力のベクトル方向から遠ざかる。このため、回転加速度が生じているときは、液体試料が第１ウェル２１から第２ウェル２２へ流れにくくなる。その後、検査用ディスク１の回転が等速になると、回転加速度による慣性力はゼロに近くなるため、液体試料は、遠心力により第１ウェル２１から第２ウェル２２へ流れる。このとき、回転加速度がゼロに近いため、開口面２９ｃの位置に関係なく、液体試料は第１ウェル２１から第２ウェル２２へ均等に流れる。回転とは逆向き側の領域においても液体試料が第１ウェル２１から第２ウェル２２へ流れやすくなる。その結果、変形例３の検査用ディスク１においても、第２ウェル２２内における液体試料の均一性を高めることができる。
【０１１３】
本実施形態の変形例４として、検査用ディスク１は、図１４に示すような構造を有してもよい。なお、図１４の矢印は、検査用ディスク１の回転の向きを示している。
【０１１４】
変形例４に係る検査用ディスク１では、開口面２９ｄは、壁３９ｄで塞がれている第１領域２９１と、直交線Ｌ１と交差する第２領域２９２とを有する。壁３９ｄは、壁３９（図１０参照）と同様に、直交線Ｌ１に沿って形成されている。直交線Ｌ１とは、ウェル形成ディスク本体２の中心から開口面２９ｄの円周方向における中心２９３を通る線分に直交する線である。開口面２９ｄの第２領域２９２は、ウェル形成ディスク本体２の円周方向における開口面２９ｄの中心２９３から円周方向の回転の向きに離れるにつれて中心２９３よりもウェル形成ディスク本体２の内周側に位置する。さらに、開口面２９ｃは、中心２９３から円周方向の回転とは逆向きに離れるにつれて中心２９３よりもウェル形成ディスク本体２の外周側に位置する。
【０１１５】
なお、変形例４において、壁３９ｄは、直交線Ｌ１に沿って形成されていることには限定されない。壁３９ｄは、例えば、第２領域２９２の開口面２９ｄに沿って開口面２９ｄと一直線になるように形成されてもよい。つまり、壁３９ｄと直交線Ｌ１とでなす角が開口面２９ｄと直交線Ｌ１とでなす角と同じになるように、壁３９ｄが形成されてもよい。
【０１１６】
上記の実施形態は、本発明の様々な実施形態の一つに過ぎない。上記の実施形態は、本発明の目的を達成できれば、設計等に応じて種々の変更が可能である。
【０１１７】
例えば、ディスク本体４では、第１チャンバー４０１がディスク本体４の厚さ方向に貫通した貫通孔である場合に限らず、ディスク本体４の第２面４２に形成された凹部でもよい。
【０１１８】
また、ディスク本体４は、第１面４１に第１チャンバー４０１が形成されていてもよい。この場合、ディスク本体４は、第１面４１を上面、第２面４２を下面として使用されてもよい。また、この場合、検査用ディスク１は、必ずしもプレート５を備えていなくてもよく、ディスク本体４の第１面４１側を別部材で覆ってもよい。
【０１１９】
また、ディスク本体４は、複数のチャンバー４００を有する場合に限らず、少なくとも１つのチャンバー４００を有していればよい。
【０１２０】
また、検査用ディスク１では、フィルタカートリッジ３の数が第１チャンバー４０１の数と同じ場合に限らず、少なくてもよい。
【０１２１】
また、検査用ディスク１は、第２ウェル２２の内壁面に親水化処理が施されていてもよい。親水化処理としては、例えば、ＴｒｉｔｏｎＸ（登録商標）に代表される界面活性剤や、水酸基、スルホン酸基、カルボキシル基等の親水基を持つ高分子化合物を塗布する処理がある。また、親水化処理としては、酸素プラズマ処理、コロナ放電処理等もある。
【０１２２】
プレート５とディスク本体４との接合の方法は、接着剤には限られず、例えば、溶着（熱溶着、超音波溶着、振動溶着、スピン溶着、レーザ溶着）、プラズマ接合、表面活性化接合等を採用してもよい。
【０１２３】
また、フィルタカートリッジ３の収納空間３１に入れる液体試料は、病原性微生物の核酸を染色する染色液を含んでいてもよい。この場合、ウェル形成ディスク本体２には、核酸を染色させるための蛍光試薬を配置しなくてもよい。染色液を利用した染色方法としては、例えば、ギムザ染色、アクリジンオレンジ染色、ライト染色、ジェンナー染色、リーシュマン染色、ロマノフスキー染色等を採用することができる。染色液は、病原性微生物の種類及び染色方法に応じて適宜の染色液を用いればよい。
【０１２４】
検査用ディスク１を赤血球の検査に用いる例について説明したが、検査用ディスク１の用途はこれに限定されず、例えば、ＤＮＡ検査、蛋白質検査等にも用いることが可能である。
【０１２５】
（６）効果
上述の実施形態から明らかなように、第１の態様に係る検査用ディスク（１）は、円盤状のウェル形成ディスク本体（２）を備える。ウェル形成ディスク本体（２）は、第１ウェル（２１）と、第２ウェル（２２）とを有する。第１ウェル（２１）は、液体試料が外部から注入されるウェルである。第２ウェル（２２）は、ウェル形成ディスク本体（２）の径方向において第１ウェル（２１）よりも外周側に位置し、第１ウェル（２１）から移動する液体試料を溜めるためのウェルである。第２ウェル（２２）の開口面（２９；２９ａ；２９ｂ；２９ｃ；２９ｄ）は、開口面（２９；２９ａ；２９ｄ）の一部が開口面（２９；２９ａ；２９ｄ）に沿って設けられた少なくとも１つの壁（３９；３９ａ、３９ｂ；３９ｄ）で塞がれていること、及び、ウェル形成ディスク本体（２）の円周方向における開口面（２９ｂ；２９ｃ）の中心（２９３）において径方向と直交する直交線（Ｌ１）に開口面（２９ｂ；２９ｃ）が交差することの少なくとも一方によって、形成されている。
【０１２６】
第１の態様に係る検査用ディスク（１）では、第２ウェル（２２）の開口面（２９；２９ａ；２９ｂ；２９ｃ；２９ｄ）は、開口面（２９；２９ａ；２９ｄ）の一部が少なくとも１つの壁（３９；３９ａ、３９ｂ；３９ｄ）で覆われていること、及び、ウェル形成ディスク本体（２）の円周方向における開口面（２９ｂ；２９ｃ）の中心（２９３）においてウェル形成ディスク本体（２）の径方向と直交する直交線（Ｌ１）に開口面（２９ｂ；２９ｃ）が交差することの少なくとも一方によって、形成されている。これにより、第２ウェル（２２）内において特定の流路に沿って大量の液体試料が流れることを低減できるので、第２ウェル（２２）内における液体試料の不均一性を低減させることができる。すなわち、第１ウェル（２１）から移動する液体試料を溜めるための第２ウェル（２２）内における液体試料の均一性を高めることができる。
【０１２７】
第２の態様に係る検査用ディスク（１）は、第１の態様において、フィルタ（３５）を更に備える。フィルタ（３５）は、開口面（２９；２９ａ；２９ｂ；２９ｃ；２９ｄ）に沿って設けられており、第１ウェル（２１）から第２ウェル（２２）へ移動する液体試料から特定の物質を除去する。
【０１２８】
第２の態様に係る検査用ディスク（１）では、フィルタ（３５）が液体試料から特定の物質を除去する。これにより、検査に適した液体試料を第２ウェル（２２）に移動させることができる。
【０１２９】
第３の態様に係る検査用ディスク（１）では、第１又は２の態様において、壁（３９；３９ａ、３９ｂ）は、開口面（２９；２９ａ）のうち直交線（Ｌ１）に沿った方向における少なくとも片側を塞ぐように設けられている。
【０１３０】
第３の態様に係る検査用ディスク（１）では、開口面（２９；２９ａ）の少なくとも片側を覆うことによって、第１ウェル（２１）から第２ウェル（２２）への液体試料の流路を変更させることができる。これにより、第２ウェル（２２）内における液体試料の均一性を高めることができる。
【０１３１】
第４の態様に係る検査用ディスク（１）では、第３の態様において、上記片側は、上記円周方向の回転の向き側である。
【０１３２】
第４の態様に係る検査用ディスク（１）では、開口面（２９）のうちウェル形成ディスク本体（２）の円周方向の回転の向き側に壁が設けられている。これにより、液体試料が開口面（２９）のうち回転の向き側を通って第１ウェル（２１）から第２ウェル（２２）へ流れることを抑制できる。その結果、第２ウェル（２２）内における液体試料の均一性を高めることができる。
【０１３３】
第５の態様に係る検査用ディスク（１）では、第３の態様において、壁（３９ａ、３９ｂ）は複数設けられている。複数の壁（３９ａ、３９ｂ）は、開口面（２９ａ）のうち直交線（Ｌ１）に沿った方向における両側に設けられている。
【０１３４】
第５の態様に係る検査用ディスク（１）では、開口面（２９ａ）のうち直交線（Ｌ１）に沿った方向における両側に壁（３９ａ、３９ｂ）が設けられている。これにより、液体試料が開口面（２９ａ）の両側を通って第１ウェル（２１）から第２ウェル（２２）へ流れることを抑制し、開口面（２９ａ）の中央領域を通って第１ウェル（２１）から第２ウェル（２２）へ流れる液体試料を増加させることができる。その結果、第２ウェル（２２）内における液体試料の均一性をより高めることができる。
【０１３５】
第６の態様に係る検査用ディスク（１）では、第１〜５の態様のいずれか１つにおいて、開口面（２９ｂ）は、上記円周方向における開口面（２９ｂ）の中心（２９３）から上記円周方向の回転の向きに離れるにつれて中心（２９３）よりもウェル形成ディスク本体（２）の外周側に位置する。さらに、開口面（２９ｂ）は、中心（２９３）から上記円周方向の回転とは逆向きに離れるにつれて中心（２９３）よりもウェル形成ディスク本体（２）の内周側に位置する。
【０１３６】
第６の態様に係る検査用ディスク（１）では、開口面（２９ｂ）は、ウェル形成ディスク本体（２）の円周方向における中心（２９３）に対して上記円周方向の回転の向き側では中心（２９３）よりもウェル形成ディスク本体（２）の外周側に位置する。さらに、開口面（２９ｂ）は、中心（２９３）に対して上記円周方向の回転とは逆向き側では中心（２９３）よりもウェル形成ディスク本体（２）の内周側に位置する。これにより、第１ウェル（２１）から第２ウェル（２２）への液体試料の流路を変更させることができる。その結果、第２ウェル（２２）内における液体試料の均一性を高めることができる。
【０１３７】
第７の態様に係る検査用ディスク（１）では、第１〜５の態様のいずれか１つにおいて、開口面（２９ｃ）は、上記円周方向における開口面（２９ｃ）の中心（２９３）から上記円周方向の回転の向きに離れるにつれて中心（２９３）よりもウェル形成ディスク本体（２）の内周側に位置する。さらに、開口面（２９ｃ）は、中心（２９３）から上記円周方向の回転とは逆向きに離れるにつれて中心（２９３）よりもウェル形成ディスク本体（２）の外周側に位置する。
【０１３８】
第７の態様に係る検査用ディスク（１）では、開口面（２９ｃ）は、ウェル形成ディスク本体（２）の円周方向における中心（２９３）に対して上記円周方向の回転の向き側では中心（２９３）よりもウェル形成ディスク本体（２）の内周側に位置する。さらに、開口面（２９ｃ）は、中心（２９３）に対して上記円周方向の回転とは逆向き側では中心（２９３）よりもウェル形成ディスク本体（２）の外周側に位置する。これにより、第１ウェル（２１）から第２ウェル（２２）への液体試料の流路を変更させることができる。その結果、第２ウェル（２２）内における液体試料の均一性を高めることができる。
【０１３９】
第８の態様に係る検査用ディスク（１）では、第１又は２の態様において、開口面（２９ｄ）は、壁（３９ｄ）で塞がれている第１領域（２９１）と、直交線（Ｌ１）と交差する第２領域（２９２）とを有する。
【０１４０】
第８の態様に係る検査用ディスク（１）では、開口面（２９ｄ）の第１領域（２９１）が壁（３９ｄ）で塞がれており、開口面（２９ｄ）の第２領域（２９２）が直交線（Ｌ１）に交差するように形成されている。これにより、第１ウェル（２１）から第２ウェル（２２）への液体試料の流路を変更させることができる。その結果、第２ウェル（２２）内における液体試料の均一性を高めることができる。
【０１４１】
第９の態様に係る検査用ディスク（１）は、第１〜８の態様のいずれか１つにおいて、フィルタカートリッジ（３）を更に備える。フィルタカートリッジ（３）は、第１ウェル（２１）に設置される。フィルタカートリッジ（３）は、フィルタ（３５）を有する。フィルタ（３５）は、第１ウェル（２１）から第２ウェル（２２）へ移動する液体試料から特定の物質を除去する。
【０１４２】
第９の態様に係る検査用ディスク（１）では、フィルタカートリッジ（３）がウェル形成ディスク本体（２）の第１ウェル（２１）に設置される構造となっている。これにより、フィルタカートリッジ（３）を第１ウェル（２１）に入れる前にフィルタカートリッジ（３）のフィルタ性能を検査することができる。その結果、検査用ディスク（１）では、フィルタ性能の信頼性の向上を図ることができるので、検査用ディスク（１）の信頼性の向上を図ることができる。
【符号の説明】
【０１４３】
１  検査用ディスク
２  ウェル形成ディスク本体
２１  第１ウェル
２２  第２ウェル
２９、２９ａ、２９ｂ、２９ｃ、２９ｄ  開口面
２９１  第１領域
２９２  第２領域
２９３  中心
３  フィルタカートリッジ
３５  フィルタ
３９、３９ａ、３９ｂ、３９ｄ  壁
Ｌ１  直交線
【図１】
2018119916.tif 000003
【図２】
2018119916.tif 000004
【図３】
2018119916.tif 000005
【図４】
2018119916.tif 000006
【図５】
2018119916.tif 000007
【図６】
2018119916.tif 000008
【図７】
2018119916.tif 000009
【図８】
2018119916.tif 000010
【図９】
2018119916.tif 000011
【図１０】
2018119916.tif 000012
【図１１】
2018119916.tif 000013
【図１２】
2018119916.tif 000014
【図１３】
2018119916.tif 000015
【図１４】
2018119916.tif 000016